(57)【要約】  プラグコネクタ構成（１０）であって、プラグコネクタ（２０）と、少なくとも１つの内部導体（３２）および内部導体（３２）を包囲する外部導体（３４）を備えてそれに接続されるケーブル（３０）とを包含し、外部導体（３４）の軸方向端部セクション（３３）がこれを包囲するプラグコネクタ（２０）の外部導体ハウジング（２４）のスリーブセクション（２６）と電気的に接続されるプラグコネクタ構成において、外部導体（３４）の軸方向端部セクション（３３）と内部導体（３０）の軸方向端部との間にケーブルの長手方向（Ｌ）に配置されるスリーブセクション（２６）の径方向圧迫部を備えるクリンプ点（５０）を包含するプラグコネクタ構成、が開示される。
2018505528.tif 000002
【特許請求の範囲】
【請求項１】
プラグコネクタ構成（１０）であって、プラグコネクタ（２０）と、少なくとも１つの内部導体（３２）および前記内部導体（３２）を包囲する外部導体（３４）を備えてそれに接続されるケーブル（３０）とを包含し、前記外部導体（３４）の軸方向端部セクション（３３）がこれを包囲する前記プラグコネクタ（２０）の外部導体ハウジング（２４）のスリーブセクション（２６）と電気的に接続されるプラグコネクタ構成において、
前記外部導体（３４）の前記軸方向端部セクション（３３）と前記内部導体（３０）の軸方向端部との間に前記ケーブルの長手方向（Ｌ）に配置される前記スリーブセクション（２６）の径方向圧迫部を備えるクリンプ点（５０）を包含する
ことを特徴とするプラグコネクタ構成。
【請求項２】
前記クリンプ点（５０、５０’）が直接的に前記外部導体（３４）の前記軸方向端部セクション（３３）に隣接して配置され、前記クリンプ点（５０）と前記軸方向端部セクション（３３）との間の距離が好ましくは２ｍｍ未満、特に０．５ｍｍ未満であることを特徴とする請求項１に記載のプラグコネクタ構成。
【請求項３】
前記径方向圧迫部の深さが、前記クリンプ点（５０）における前記スリーブセクション（２６）の内径が前記ケーブル（３０）の前記外部導体（３４）の直径に実質的に対応するようなものであることを特徴とする請求項１または２に記載のプラグコネクタ構成。
【請求項４】
前記クリンプ点（５０）のプラグコネクタ側端部が直接的に、前記ケーブルの前記外部導体（３４）とほぼ同じ内径を有する前記外部導体ハウジング（２４）の本体（２５）に隣接して配置され、前記クリンプ点（５０）と前記本体（２５）との間の距離が好ましくは３ｍｍ未満、特に好ましくは１ｍｍ未満、特に概ね０ｍｍであることを特徴とする請求項１から３の少なくともいずれかに記載のプラグコネクタ構成。
【請求項５】
前記クリンプ点（５０’）が非回転対称のクリンプ、例えば平坦な押圧面を備える平坦なクリンプ、特にスタークリンプを有することを特徴とする請求項１から４の少なくともいずれかに記載のプラグコネクタ構成。
【請求項６】
前記クリンプが、それぞれが周方向に実質的に同じ寸法を有して前記内部導体を包囲する３つ以上、特に４つの平坦な押圧面を有し、前記スリーブセクションが好ましくは断面では前記クリンプ点（５０’）において実質的に正方形の外輪郭を有することを特徴とする請求項５に記載のプラグコネクタ構成。
【請求項７】
前記クリンプ点（５０）の前記プラグコネクタ（２０）とは反対に向く側における少なくとも１つの別のクリンプ点（６２）を包含し、そこでは前記ケーブルの前記外部導体（３４）が前記プラグコネクタの前記スリーブセクション（２６）と共に押圧されることを特徴とする請求項１から６の少なくともいずれかに記載のプラグコネクタ構成。
【請求項８】
前記クリンプ点（５０）における前記スリーブセクション（２６）の外経が前記別のクリンプ点（６２）におけるものよりも小さいことを特徴とする請求項７に記載のプラグコネクタ構成。
【請求項９】
前記クリンプ点（５０、５０’）の前記プラグコネクタ（２０）とは反対に向く側における前記内部導体を包囲する支持スリーブ（６０）、例えばクリンプスリーブを包含することを特徴とする請求項７または８のいずれかに記載のプラグコネクタ構成。
【請求項１０】
前記支持スリーブ（６０）が径方向に前記外部導体（３４）の外側に配置され、前記外部導体（３４）が好ましくは前記支持スリーブ（６０）の上に折り返されることを特徴とする請求項９に記載のプラグコネクタ構成。
【請求項１１】
前記外部導体（３４）が編組体、例えばワイヤ編組体または導体フォイルの形態であり、および／または、前記内部導体（３２）が誘電体によって包囲されるコアまたは１つ以上の絶縁ワイヤの形態であることを特徴とする請求項１から１０の少なくともいずれかに記載のプラグコネクタ構成。
【請求項１２】
前記ケーブル（３０）が同軸ケーブル、シールド付きツイストペアケーブル、シールド付きスターカッドケーブルまたは同等物であることを特徴とする請求項１から１１の少なくともいずれかに記載のプラグコネクタ構成。
【発明の詳細な説明】
【技術分野】
【０００１】
本発明は、プラグコネクタとそれに接続されるケーブルとで構成されるプラグコネクタ構成に関する。ケーブルは、少なくとも１つの内部導体および内部導体を包囲する外部導体を有し、外部導体の軸方向端部セクションは、これを包囲するプラグコネクタの外部導体ハウジングのスリーブセクションと電気的に接続される。
【背景技術】
【０００２】
プラグコネクタは、プラグコネクタを相手方プラグコネクタと接続するためのプラグ側端部と、ケーブルが（好ましくは半田付けまたはクリンプによって分離不能に）取り付けられるケーブル側端部とを有する。ゆえに、ケーブルの内部導体は、コンタクトピンまたはソケットのようなプラグコネクタの内部導体部品と電気的に接続され、ケーブルの外部導体は、好ましくはケーブルからプラグコネクタのプラグ側端部まで連続的なシールドが形成されるように、内部導体部品を包囲するプラグコネクタの外部導体ハウジングと電気的に接続される。
【０００３】
プラグコネクタとケーブルとの接続を作るために、導電性材料で構成されて外部導体の端部を包囲する外部導体ハウジングのスリーブセクションが外部導体の軸方向端部セクションと共にクリンプまたは押圧されることが知られている。このために、プラグコネクタ構成の製造中に、外部導体が露出されるように、ケーブルがその前方端部で剥離され、すなわち、ケーブルシースの一部が除去される。その後、外部導体ハウジングのスリーブセクションが露出された外部導体と共に押圧される。
【０００４】
しかし、上述の従来方式で製造されるプラグコネクタ構成はしばしばプラグコネクタとケーブルとの間の接続の領域で最適な電気的整合にならないことが判明している。特に、意図された特性インピーダンスからの不所望の逸脱、例えばインピーダンスの不所望の増大が接続領域で発生し得る。
【発明の概要】
【発明が解決しようとする課題】
【０００５】
前述の問題に鑑み、本発明の目的は、プラグコネクタとケーブルとの間の高引張強度を備える安定した接続であり、好ましくはケーブルの長手方向のその全範囲にわたって最適な電気的整合にもなるものを提供することである。
【課題を解決するための手段】
【０００６】
この課題は、請求項１に記載のプラグコネクタ構成によって解決される。本発明の有利なさらなる展開は、従属請求項に記載される。
【０００７】
本発明によるプラグコネクタ構成は、外部導体の軸方向端部セクションと内部導体の軸方向端部との間にケーブルの長手方向に配置されるスリーブセクションの径方向圧迫部を備えるクリンプ点を有する。好ましくは、クリンプ点は、外部導体の前方軸方向端部とスリーブセクションのプラグ側端部との間の領域で、外部導体ハウジングのスリーブセクションに径方向に外側から作用する押圧力によって作られる。この押圧力は好ましくは、スリーブセクションの径方向圧迫部が内部導体を完全に包囲するように、全面から印加される。結果として、径方向圧迫部の領域におけるスリーブセクションと内部導体との間の径方向距離は、径方向に圧迫されないスリーブセクションの残りの部分におけるものよりも小さい。
【０００８】
本発明は、ケーブル幾何学形状を変化させずに同じ誘電体でケーブルの長手方向において一定のインピーダンスを達成するためには、ケーブルの内部導体と外部導体との間の実質的に一定の距離が必要とされるという知見に基づいている。このように、ケーブルの内部導体と外部導体との間の距離の増大は一般に、誘導領域またはインピーダンスの不所望の増大につながる。従来のプラグコネクタ構成において、内部導体と外部導体（または内部導体のシールド）との間の距離の不所望の唐突な変化は一般に、外部導体の前方軸方向端部において発生する。対照的に、本発明によれば、内部導体を包囲するケーブルの外部導体がないその前方端部におけるケーブルのその領域のスリーブセクションの径方向圧迫部は、内部導体とシールドとの間の距離のこの唐突な変化の度合いが低減されるということを意味し、それは、押圧力の結果として、導体材料で構成されるスリーブセクションが内部導体に近付き、その結果、ケーブルの外部導体の圧迫されたスリーブセクションがプラグコネクタの方向に実際の外部導体の端部を越えて連続するからである。
【０００９】
有利には、クリンプ点は直接的に軸方向端部セクションにまたは外部導体の前方軸方向端部に隣接して配置され、クリンプ点と軸方向端部セクションとの間の距離は好ましくは２ｍｍ未満、特に０．５ｍｍ未満である。言い換えると、スリーブセクションの圧迫部は、直接的に外部導体の軸方向端部に隣接して配置され、その結果、この領域におけるインピーダンスの局所的な変化を確実に回避する。
【００１０】
さらに、径方向圧迫部の深さは好ましくはクリンプ点におけるスリーブセクションの内径がケーブルの外部導体の内径に実質的に対応するようなものであり、その結果、外部導体ハウジングの圧迫されたスリーブセクションが外部導体を前方ケーブル端部の方向に内部導体から一定の距離で有効に連続させる。
【００１１】
好ましくは、圧迫部の最深箇所におけるスリーブセクションの内径と外部導体の内径との間の割合は、外部導体がその前方軸方向端部においてスリーブセクションに事実上継ぎ目なく移行するように、０．９から１．２の間、特に好ましくは０．９５から１．１の間、特に０．９８から１．０５の間である。こうすれば、外部導体の前方端部における内部導体とそのシールドとの間の距離の唐突な変化が確実に防止される。
【００１２】
代替的にまたは付加的に、クリンプ点のプラグコネクタ側端部は直接的に、そこを始点としてスリーブセクションがケーブルの長手方向に突出し、ケーブルの外部導体とほぼ同じ直径を有する外部導体ハウジングの本体に隣接して配置され、クリンプ点と本体との間の距離は好ましくは３ｍｍ未満、特に１ｍｍ未満である。
【００１３】
ケーブルの外部導体は一般に内部導体を包囲する誘電体に載っており、したがって外部導体ハウジングのスリーブセクションよりもかなり小さい直径を有するため、必要な深さの径方向圧迫部を作るために、特に高い径方向クリンプ力が一般に必要である。そのような深さでの（正確に）径方向に対称なクリンプは、特定の状況ではこれが内部導体またはスリーブセクションの損傷につながり得ることから問題となり得る。この理由から、非回転対称のクリンプ、特に非回転対称の絶縁クリンプを備えるクリンプ点（スリーブセクションがクリンプ点においてケーブルの外部導体ではなくケーブルの誘電体と共に押圧される）を配設すると好都合であることが確認されている。非回転対称のクリンプにおいて、周方向において局所的にばらつく径方向力が印加され、それは総じて径方向圧迫部のより大きな最大深さをもたらす。周方向において平坦な押圧面を備える平坦なクリンプ、特にスタークリンプが特に有利であることが確認されている。
【００１４】
これに関連して、クリンプが内部導体を包囲する３つ以上、特に４つの押圧面を有すると特に有利であることが確認されている。したがって断面では、スリーブセクションはクリンプ点において多角形、特に正多角形の外輪郭を実質的に有する。一方では、周方向に同じ寸法を実質的に有する平坦な押圧面は、対応して形成された（クリンプ）スタンプによって単純に製造され得るが、それにより、周方向に実質的に均一な力がスリーブセクションに同時に印加される。断面が実質的に正方形であるクリンプ点は、特にスターカッド構成の形態で延在し得る４つの内部導体の場合に、特に有利であることが確認されている。
【００１５】
外部導体と外部導体ハウジングとの間の最適な電気的接続を達成するために、（第１の）クリンプ点のプラグコネクタとは反対に向く側における少なくとも１つの別のクリンプ点を配設し、ケーブルの外部導体が別のクリンプ点においてプラグコネクタのスリーブセクションと共に押圧されると好都合であることが確認されている。別のクリンプ点は、第１のクリンプ点から軸方向に距離を置いて配置されてもよく、または代替的に、軸方向に少なくとも部分的にこれに重なってもよい。１つ超のクリンプ点を配設することは、プラグコネクタとケーブルとの特に安定した高張力の接続にもつながる。第１のクリンプ点に絶縁クリンプが配設されてもよく、および／または、第２の点に導体クリンプが配設されてもよい。
【００１６】
内部導体とそのシールドとの間の実質的に一定の径方向距離を維持しながら、同時に、スリーブセクションにおける前方ケーブル端部の安定した固定を達成するために、外部導体ハウジングの外径および／または内径が別のクリンプ点においてよりもクリンプ点において小さいと有利であることが確認されているが、それは、ケーブルがクリンプ点において外部導体を有しておらず、その結果、クリンプ点では、外部導体がある別のクリンプ点においてよりもスリーブセクションのより深い径方向圧迫部が必要とされるからである。言い換えると、クリンプ点におけるスリーブセクションの径方向圧迫部は、別のクリンプ点において形成されるスリーブセクションの別の径方向圧迫部よりも深い。
【００１７】
ケーブルは好ましくは、第１のクリンプ点のプラグコネクタとは反対に向く側における内部導体を包囲する支持スリーブを有する。好ましくは、支持スリーブの内径は、支持スリーブが外部導体の外側に問題なく適用され得るように、外部導体の外径よりもいくらか大きい。支持スリーブは、クリンププロセス中の内部導体の損傷を回避しながら、外部導体とスリーブセクションとの一緒の押圧を改善させるように働く。
【００１８】
別のクリンプ点は支持スリーブのレベルに位置するが、（第１の）クリンプ点は好ましくは支持スリーブのプラグ側端部とスリーブセクションのプラグ側端部との間にケーブルの長手方向に配置される。
【００１９】
支持スリーブは、特に外部導体がワイヤ編組体または同等物の形態である場合に、外部導体の前方端部を定位置に保持および固定するために配設され得る。このために、支持スリーブは好ましくは、径方向に外部導体の外側に配置される。これに関連して、ケーブルの長手方向において支持スリーブのプラグ側端部が外部導体の前方軸方向端部と実質的に一致し、その結果、支持スリーブが外部導体をその前方軸方向端部まで支持および保持すると有利であることが確認されている。
【００２０】
外部導体と支持スリーブと外部導体ハウジングとの間の最適な電気的および機械的接続を達成するために、外部導体が支持スリーブの上に折り返されると有利であることが確認されている。この場合、好ましくはワイヤ編組体の形態の外部導体と、支持スリーブまたは外部導体ハウジングのスリーブセクションとの間の、特に耐久性のある安定したクリンプ接続が、押圧によってもたらされ得る。
【００２１】
本発明の特に好ましい態様では、支持スリーブは、少なくとも一部で、シリンダバレル形状スリーブ、例えばクリンプスリーブの形態に設計され、それは、単一の部品として形成されるか、または、いくつかのシリンダ形シェル部品で構成されるかのいずれでもよい。支持スリーブの内径は、外部導体の外径に適合され得る。
【００２２】
経済的な製造を達成するために、また比較的軽いケーブル重量を達成するために、外部導体が編組体、例えばワイヤ編組体の形態であると有利であることが確認されている。ワイヤ編組体は、押圧接続を製造するのにも特に適しており、支持スリーブの上に折り返すのに適している。
【００２３】
他方、内部導体は、誘電体によって包囲されるコアまたは１つ以上の絶縁ワイヤの形態であり得る。例えば、１つ以上の内部導体ペアがケーブルを介して１つ以上の差動信号を伝送するために配設される。２つの内部導体ペアは例えば、スターカッド構成で延在し得る。好ましくは、全ての内部導体は、ワイヤ編組体の形態の共通の外部導体によって包囲される。
【００２４】
ケーブルは、同軸ケーブル、シールド付きツイストペアケーブル、シールド付きスターカッドケーブルまたは同等物であり得る。そのようなケーブルは一般にＨＦ信号の伝送を対象とし、この場合、最適な電気的整合は信号の歪みを回避するために特に重要である。
【００２５】
以下の記載において、添付の図面を参照して本発明が説明される。
【図面の簡単な説明】
【００２６】
【図１】本発明によるプラグコネクタ構成の部分的に長手断面の形態で示される模式側面図である。
【図２】図１からのプラグコネクタ構成の左側から見た模式断面図である。
【図３】本発明によるプラグコネクタ構成の第２の実施形態の側面図である。
【図４】図３に示される第２の実施形態の右側から見た断面図である。
【図５】図３および４に示されるプラグコネクタ構成を製造するためのクリンプスタンプの図である。
【発明を実施するための形態】
【００２７】
図１に模式的に示される本発明によるプラグコネクタ構成１０は、（部分的にのみ表される）プラグコネクタ２０、例えば同軸プラグと、それに接続されるケーブル３０、例えば同軸ケーブル、スターカッドケーブルまたは同等物とで構成される。
【００２８】
プラグコネクタ２０は、図１の左側に示されるそのプラグ側端部で相手方プラグコネクタ、例えばソケット部品と接続するように設計される。ケーブル３０は、図１の右側に示されるプラグコネクタ２０のケーブル側端部に耐引張負荷方式で取り付けられる。
【００２９】
ケーブル３０は、（この場合、例として）それぞれが絶縁体を設けられたワイヤの形態である合計４つの撚られた内部導体３２を有する。２つの内部導体３２はいずれの場合にも、差動信号、例えばＨＦ信号または同等物を伝送するための差動導体ペアを形成する。４つの内部導体３２は、内部導体３２を外側からシールドするワイヤ編組体および／または導体フォイルの形態の共通の（ケーブル）外部導体３４によって包囲される。ワイヤ編組体は、ワイヤの絶縁体の外側に当接する。外部導体３４は、非導体材料、例えばプラスチック製のケーブルシース８０によって外側で同軸に包囲される。
【００３０】
内部導体３２はいずれの場合にも、プラグコネクタ２０に向くそれらの前方端部において、プラグコネクタ２０の内部導体コンタクト（図示せず）と電気的に接続される。外部導体３４は、プラグコネクタ２０に向くその前方端部において、プラグコネクタ２０の外部導体ハウジング２４のスリーブセクション２６と電気的に接続され、外部導体ハウジング２４は、プラグコネクタ２０のプラグ側端部まで内部導体３２のシールドを連続させる。
【００３１】
前方ケーブル端部は、外部導体ハウジング２４の本体を始点としてケーブル側に突出する外部導体ハウジング２４の管状のスリーブセクション２６に収容される。スリーブセクション２６の内径は、ケーブル３０がスリーブセクション２６によって形成される開口部に挿入され得るように、実質的にケーブルシース８０の外径に対応する。
【００３２】
ケーブルの外部導体３４が露出されてスリーブセクション２６の壁部と電気的に接触し得るように、ケーブルシース８０がケーブル３０の前方端部において除去される。
【００３３】
ケーブルの外部導体３４の前方軸方向端部３３の固定を改良するために、また特にケーブルの外部導体３４とスリーブセクション２６との間の別のクリンプ点６２の製造中の内部導体３２の損傷を防止するために、支持スリーブ６０が外部導体３４の前方セクションに配設される。外部導体３４のワイヤ編組体は、外部導体３４のワイヤ編組体が支持スリーブ６０に内側および外側で当接するように、支持スリーブ６０の前方端部の上に折り返される。こうして、支持スリーブ６０の前方端部に当接するワイヤ編組体は、外部導体３４の前方軸方向端部３３を形成する。
【００３４】
図１に明確に示されるように、ケーブルの外部導体のない空間がケーブルの外部導体３４の軸方向端部３３とプラグコネクタの本体２５との間に形成され、そこにはスリーブセクション２６の径方向圧迫部５１を備えるクリンプ点５０が形成される。クリンプ点５０がないと、内部導体３２とスリーブセクション２６との間の距離はこの空間で大きなものとなり得、それは不十分な電気的整合につながり得る。したがって、クリンプ点５０は、径方向圧迫部５１の領域において、スリーブセクション２６の内径が外部導体３４の内径に実質的に対応するように設計される。これは、クリンプ点５０の領域において内部導体３２とそれらのシールドとの間の径方向距離がプラグコネクタ２０のプラグ側端部の方向にほぼ一定を保ち、それがこの領域における最適な電気的整合につながるということを意味する。
【００３５】
図１で分かるように、径方向圧迫部５１とケーブルの外部導体の前方軸方向端部３３との間の距離は１ｍｍ未満であるのに対して、外部導体ハウジング２４の本体２５と圧迫部５１との間の距離は２ｍｍ未満である。本体２５の領域において、外部導体ハウジング２４の内径は、ケーブル３０の外部導体３４の内径に実質的に対応する。圧迫部５１の軸方向寸法（Ａ）は、プラグコネクタの本体２５とケーブルの外部導体３４の前方軸方向端部３３との間の軸方向距離の５０％超、特に好ましくは８０％超、特に概ね１００％である。図１は、クリンプ点５０におけるスリーブセクション２６の外径が、外部導体３４がスリーブセクション２６または支持スリーブ６０と共に押圧される別のクリンプ点６２におけるものよりも小さいことも示している。
【００３６】
図１に示されるクリンプ点５０のクリンプは、従来の実質的に回転対称のクリンプである。部分的に断面図として表される図２は、径方向圧迫部５１の領域におけるスリーブセクション２６の内径（Ｄ）がそのケーブル側端部におけるまたは押圧されない状態でのスリーブセクション２６の内径の概ね６０％になることを示している。クリンプ点５０におけるスリーブセクション２６の壁部が外部導体３４のケーブルの残りの部分におけるもののように４つの内部導体３２の絶縁体の外側に当接するようにクリンプ深さが選択されることも分かる。
【００３７】
図３および４に示される本発明によるプラグコネクタ構成の第２の実施形態は第１の実施形態に実質的に対応するため、上記の記述が参照される。唯一の大きな違いは、クリンプ点５０’の設計を含む。クリンプ点５０と同様に、クリンプ点５０’は、ケーブルの外部導体３４の前方軸方向端部３３と、そこを始点としてスリーブセクションがケーブルの長手方向に突出する外部導体ハウジング２４の本体２５との間に配置される。しかしながら、いくつかの平坦な押圧面を有するスタークリンプがクリンプ点５０’に配設され、他方で、別のクリンプ点６２では、回転対称のクリンプ、あるいは代替的にまたは付加的に、同様に平坦なクリンプが配設され得るが、それはクリンプ点５０’におけるスタークリンプよりも深さが少なくてよい。
【００３８】
図４に示されるように、スタークリンプ５０’の領域においてスリーブセクション２６の壁部は実質的に正方形であり、押圧手順を通して正方形の角部に材料の蓄積が形成され得る。そのようなクリンプ形態は、特にスターカッド構成の方式の４つのワイヤを備える内部導体の場合に、特に有利であることが確認されている。代替的に、より多数の等辺を備える多角形の形態のクリンプ輪郭が用いられ得る。平坦なクリンプ、例えばスタークリンプでは、クリンプ中に押圧力が最初は局所的に作用するため、全体的により小さい押圧力の印加で済むことから、深い圧迫部を製造する場合に円形のクリンプよりも材料への保護力がより高くあり得る。クリンプ点５０’におけるスリーブセクション２６の「内径」Ｄ（この場合、４つのクリンプ辺によって形成される正方形の内接円の直径）は、図２に示されるクリンプ点５０におけるスリーブセクション２６の直径Ｄに対応する。
【００３９】
図５には、図３および４によるプラグコネクタ構成のクリンプ点５０’を作るためのスタンプ１００が側面図で模式的に示されている。プラグコネクタ構成１０がスタンプ１００の上部ダイと下部ダイとの間にケーブルの長手方向Ｌにおいて適切な位置に配置され、その後、上部ダイと下部ダイとが互いに近付く方向に動かされる。押圧位置において、上部ダイと下部ダイとの押圧輪郭１１０は、製造されるクリンプ形態の凹輪郭を形成する。図示のように、押圧輪郭１１０は、押圧プロセス中に生じる材料の蓄積を収容するために配設される凹部を含み得る。
【図１】
2018505528.tif 000003
【図２】
2018505528.tif 000004
【図３】
2018505528.tif 000005
【図４】
2018505528.tif 000006
【図５】
2018505528.tif 000007
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
プラグコネクタ構成（１０）であって、プラグコネクタ（２０）と、少なくとも１つの内部導体（３２）および前記内部導体（３２）を包囲する外部導体（３４）を備えてそれに接続されるケーブル（３０）とを包含し、前記外部導体（３４）の軸方向端部セクション（３３）がこれを包囲する前記プラグコネクタ（２０）の外部導体ハウジング（２４）のスリーブセクション（２６）と電気的に接続されるプラグコネクタ構成において、
前記外部導体（３４）の前記軸方向端部セクション（３３）と前記内部導体（３０）の軸方向端部との間に前記ケーブルの長手方向（Ｌ）に配置される前記スリーブセクション（２６）の径方向圧迫部を備えるクリンプ点（５０）を包含し、前記径方向圧迫部の深さが、前記クリンプ点（５０）における前記スリーブセクション（２６）の内径が前記ケーブル（３０）の前記外部導体（３４）の直径に実質的に対応するようなものである
ことを特徴とするプラグコネクタ構成。
【請求項２】
前記クリンプ点（５０、５０’）が直接的に前記外部導体（３４）の前記軸方向端部セクション（３３）に隣接して配置され、前記クリンプ点（５０）と前記軸方向端部セクション（３３）との間の距離が好ましくは２ｍｍ未満、特に０．５ｍｍ未満であることを特徴とする請求項１に記載のプラグコネクタ構成。
【請求項３】
前記クリンプ点（５０）のプラグコネクタ側端部が直接的に、前記ケーブルの前記外部導体（３４）とほぼ同じ内径を有する前記外部導体ハウジング（２４）の本体（２５）に隣接して配置され、前記クリンプ点（５０）と前記本体（２５）との間の距離が好ましくは３ｍｍ未満、特に好ましくは１ｍｍ未満、特に概ね０ｍｍであることを特徴とする請求項１または２のいずれかに記載のプラグコネクタ構成。
【請求項４】
前記クリンプ点（５０’）が非回転対称のクリンプ、例えば平坦な押圧面を備える平坦なクリンプ、特にスタークリンプを有することを特徴とする請求項１から３の少なくともいずれかに記載のプラグコネクタ構成。
【請求項５】
前記クリンプが、それぞれが周方向に実質的に同じ寸法を有して前記内部導体を包囲する３つ以上、特に４つの平坦な押圧面を有し、前記スリーブセクションが好ましくは断面では前記クリンプ点（５０’）において実質的に正方形の外輪郭を有することを特徴とする請求項４に記載のプラグコネクタ構成。
【請求項６】
前記クリンプ点（５０）の前記プラグコネクタ（２０）とは反対に向く側における少なくとも１つの別のクリンプ点（６２）を包含し、そこでは前記ケーブルの前記外部導体（３４）が前記プラグコネクタの前記スリーブセクション（２６）と共に押圧されることを特徴とする請求項１から５の少なくともいずれかに記載のプラグコネクタ構成。
【請求項７】
前記クリンプ点（５０）における前記スリーブセクション（２６）の外経が前記別のクリンプ点（６２）におけるものよりも小さいことを特徴とする請求項６に記載のプラグコネクタ構成。
【請求項８】
前記クリンプ点（５０、５０’）の前記プラグコネクタ（２０）とは反対に向く側における前記内部導体を包囲する支持スリーブ（６０）、例えばクリンプスリーブを包含することを特徴とする請求項６または７のいずれかに記載のプラグコネクタ構成。
【請求項９】
前記支持スリーブ（６０）が径方向に前記外部導体（３４）の外側に配置され、前記外部導体（３４）が好ましくは前記支持スリーブ（６０）の上に折り返されることを特徴とする請求項８に記載のプラグコネクタ構成。
【請求項１０】
前記外部導体（３４）が編組体、例えばワイヤ編組体または導体フォイルの形態であり、および／または、前記内部導体（３２）が誘電体によって包囲されるコアまたは１つ以上の絶縁ワイヤの形態であることを特徴とする請求項１から９の少なくともいずれかに記載のプラグコネクタ構成。
【請求項１１】
前記ケーブル（３０）が同軸ケーブル、シールド付きツイストペアケーブルまたはシールド付きスターカッドケーブルであることを特徴とする請求項１から１０の少なくともいずれかに記載のプラグコネクタ構成。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
プラグコネクタ構成（１０）であって、プラグコネクタ（２０）と、少なくとも１つの内部導体（３２）および前記内部導体（３２）を包囲する外部導体（３４）を備えてそれに接続されるケーブル（３０）とを包含し、前記外部導体（３４）の軸方向端部セクション（３３）がこれを包囲する前記プラグコネクタ（２０）の外部導体ハウジング（２４）のスリーブセクション（２６）と電気的に接続されるプラグコネクタ構成において、
前記外部導体（３４）の前記軸方向端部セクション（３３）と前記内部導体（３０）の軸方向端部との間に前記ケーブルの長手方向（Ｌ）に配置される前記スリーブセクション（２６）の径方向圧迫部を備えるクリンプ点（５０）を包含し、前記径方向圧迫部の深さが、前記クリンプ点（５０）における前記スリーブセクション（２６）の内径が前記ケーブル（３０）の前記外部導体（３４）の直径に実質的に対応するようなものであり、前記クリンプ点（５０）が非回転対称のクリンプを有する
ことを特徴とするプラグコネクタ構成。
【請求項２】
前記クリンプ点（５０、５０’）が直接的に前記外部導体（３４）の前記軸方向端部セクション（３３）に隣接して配置され、前記クリンプ点（５０）と前記軸方向端部セクション（３３）との間の距離が好ましくは２ｍｍ未満、特に０．５ｍｍ未満であることを特徴とする請求項１に記載のプラグコネクタ構成。
【請求項３】
前記クリンプ点（５０）のプラグコネクタ側端部が直接的に、前記ケーブルの前記外部導体（３４）とほぼ同じ内径を有する前記外部導体ハウジング（２４）の本体（２５）に隣接して配置され、前記クリンプ点（５０）と前記本体（２５）との間の距離が好ましくは３ｍｍ未満、特に好ましくは１ｍｍ未満、特に概ね０ｍｍであることを特徴とする請求項１または２のいずれかに記載のプラグコネクタ構成。
【請求項４】
前記クリンプ点（５０’）が平坦な押圧面を備える平坦なクリンプ、特にスタークリンプを有することを特徴とする請求項１から３の少なくともいずれかに記載のプラグコネクタ構成。
【請求項５】
前記クリンプが、それぞれが周方向に実質的に同じ寸法を有して前記内部導体を包囲する３つ以上、特に４つの平坦な押圧面を有し、前記スリーブセクションが好ましくは断面では前記クリンプ点（５０’）において実質的に正方形の外輪郭を有することを特徴とする請求項４に記載のプラグコネクタ構成。
【請求項６】
前記クリンプ点（５０）の前記プラグコネクタ（２０）とは反対に向く側における少なくとも１つの別のクリンプ点（６２）を包含し、そこでは前記ケーブルの前記外部導体（３４）が前記プラグコネクタの前記スリーブセクション（２６）と共に押圧されることを特徴とする請求項１から５の少なくともいずれかに記載のプラグコネクタ構成。
【請求項７】
前記クリンプ点（５０）における前記スリーブセクション（２６）の外経が前記別のクリンプ点（６２）におけるものよりも小さいことを特徴とする請求項６に記載のプラグコネクタ構成。
【請求項８】
前記クリンプ点（５０、５０’）の前記プラグコネクタ（２０）とは反対に向く側における前記内部導体を包囲する支持スリーブ（６０）、例えばクリンプスリーブを包含することを特徴とする請求項６または７のいずれかに記載のプラグコネクタ構成。
【請求項９】
前記支持スリーブ（６０）が径方向に前記外部導体（３４）の外側に配置され、前記外部導体（３４）が好ましくは前記支持スリーブ（６０）の上に折り返されることを特徴とする請求項８に記載のプラグコネクタ構成。
【請求項１０】
前記外部導体（３４）が編組体、例えばワイヤ編組体または導体フォイルの形態であり、および／または、前記内部導体（３２）が誘電体によって包囲されるコアまたは１つ以上の絶縁ワイヤの形態であることを特徴とする請求項１から９の少なくともいずれかに記載のプラグコネクタ構成。
【請求項１１】
前記ケーブル（３０）が同軸ケーブル、シールド付きツイストペアケーブルまたはシールド付きスターカッドケーブルであることを特徴とする請求項１から１０の少なくともいずれかに記載のプラグコネクタ構成。
【国際調査報告】
2018505528.tif 000008
2018505528.tif 000009
2018505528.tif 000010
2018505528.tif 000011